(57)【要約】【課題】  タバコの持ち手、あるいは遊技中のタバコを維持する場所によって発生する、タバコの灰や吸殻による各種の弊害を防止し、遊技者のニーズに応じて自由に灰皿の位置を変更することができる、操作が容易な遊技機における灰皿装置を提供する。【解決手段】  遊技機本体１から払出される遊技媒体を貯留するコイントレイ４と、このコイントレイ４を左右方向にスライド自在に保持する支持部材１０とからなるもので、コイントレイ４のスライドに応じて、コイントレイ４の左端部及び／又は右端部の外側に、前記遊技機本体１、支持部材１０およびコイントレイ４の壁面によって形成される空隙部を、タバコの吸殻ないし灰を収容する灰皿Aとする。【選択図】      図１
2005312785.tif 000002
【特許請求の範囲】
【請求項１】
遊技機本体から払出される遊技媒体を貯留するコイントレイと、
このコイントレイを左右方向にスライド自在に保持する支持部材とからなるもので、
前記コイントレイのスライドに応じて、コイントレイの左端部及び／又は右端部の外側に、前記遊技機本体、支持部材およびコイントレイの壁面によって、タバコの吸殻ないし灰を収容する灰皿部が形成されること
を特徴とする遊技機の灰皿装置。
【請求項２】
前記コイントレイは、
その背面部には、前記遊技機本体の前面下部に形成されたスリットと、前面部には、前記支持部材に形成されたスリットと、それぞれ係合可能な突条部が形成されていること
を特徴とする請求項１に記載の遊技機の灰皿装置。
【請求項３】
前記コイントレイは、
その背面部に、上縁部が前記遊技機本体に形成された遊技媒体の払出し口の下縁部とほぼ同一高さとなる切欠き部が形成されていること
を特徴とする請求項１又は２に記載の遊技機の灰皿装置。
【請求項４】
前記支持部材は、
前記コイントレイの底面部と当接し、かつ少なくともコイントレイの左右いずれかの側面部との間に灰皿部を形成することが可能な長さの底面部と、この底面部の左右端部および前面部を囲う壁面とで構成され、前面の壁面内側には、コイントレイの前面部に設けられた突条部と係合するスリットが形成されていること
を特徴とする請求項１に記載の遊技機の灰皿装置。
【請求項５】
前記支持部材は、
前記灰皿部を形成する両端部側の底面部が、中央部に位置する底面部よりも低い位置にあって、前記コイントレイの底面部との間に空隙部が形成されるよう構成されていること
を特徴とする請求項４に記載の遊技機の灰皿装置。
【請求項６】
前記支持部材は、
前記コイントレイがスライドする底面部の前面に、壁面を一体的に設けた前面部材と、この前面部材の両端部に配設される左右一対の側枠部材とから構成され、各側枠部材は、底面部と前面部および前記コイントレイの左右いずれかの側面部と、所要間隔を存して相対する側面部とから構成されること
を特徴とする請求項１に記載の遊技機の灰皿装置。
【請求項７】
前記支持部材は、
左右の側枠部材が、前記前面部材に対して回動可能に装着されていること
を特徴とする請求項６に記載の遊技機の灰皿装置。
【請求項８】
前記支持部材は、
所要の間隔を存して配置される左右一対の側枠部材と、この側枠部材間にスライド自在に係合保持されるコイントレイとからなるもので、前記各側枠部材は、底面部と前面部および前記コイントレイの左右いずれかの側面部と所要間隔を存して相対する側面部とから構成されること
を特徴とする請求項１に記載の遊技機の灰皿装置。
【請求項９】
前記支持部材は、
支持部材を形成する部材の全部または一部が、前記遊技機本体の前面下部に設けられたブラケットによって支持されていること
を特徴とする請求項１〜７のいずれかに記載の遊技機の灰皿装置。
【発明の詳細な説明】
【技術分野】
【０００１】
この発明は、遊技機の灰皿装置に関するもので、より詳しくは、遊技機本体に配設された左右いずれかの灰皿を、遊技者が自由に選択することのできる遊技機の灰皿装置に関するものである。
【背景技術】
【０００２】
パチンコ遊技機やパチスロ機などの回動遊技機においては、遊技中に喫煙者が使用するための灰皿が、遊技機本体あるいは遊技者が座る席の、島の一部に備付けられているが、ホールによっては、遊技機本体に備付けられた灰皿の使用を禁じているところもある。このようなホールでは、遊技機本体とは別体の一般の灰皿を用意し、この灰皿を遊技者に使用して貰うようになっている。その理由としては、灰皿の掃除の簡素化を図ることや、灰皿の損傷、汚れを防止する等の理由が挙げられる。
【０００３】
また、その他の理由として、備付けの灰皿が、ネジ等によって遊技機本体に強固に固定されているため、その取付け取外しにドライバー等の工具を必要とし、容易に交換することができず、灰皿部分のみの交換ができないことも挙げられる。
【０００４】
そこで、特開２００４−３３０７９号公報（特許文献１）においては、余計な灰皿の清掃作業などが発生するのを防止することができる灰皿装置を備えた遊技機として、灰皿本体と、前記灰皿本体の上面を閉塞するように前記灰皿本体を収納する収納部とを備えたもの、すなわち、灰皿を備えた下皿の構造に工夫を加えたものが提案されている。
【特許文献１】特開２００４−３３０７９号公報（特許請求の範囲、図１乃至図４）
【発明の開示】
【発明が解決しようとする課題】
【０００５】
前記公知の灰皿装置は、通常、遊技機を正面にして左側に配置される。その理由は定かではないが、パチンコ機では、パチンコ玉を制御するハンドルが右側に配置されているので、遊技者は右手を常にハンドルに掛けた状態で遊技するためと考えられる。
【０００６】
しかしながら、遊技者には、右利きの人もいれば左利きの人も存在し、また、タバコの持ち手も人様々であるにもかかわらず、灰皿装置は遊技機本体の左側にあるので、タバコの持ち手によっては灰皿までの距離が遠く、タバコを灰皿まで運ぶ間に、灰を周囲に逸散させ、場合によっては着衣を焦がし、あるいは遊技者の足元のフロアを汚損・損傷するなど解決すべき多くの課題がある。そのため、タバコの持ち手、あるいは遊技中のタバコを維持する場所によって発生する、タバコの灰による各種の弊害を可及的に防ぐことのできる灰皿装置の出現が望まれている。
【０００７】
この発明はかかる現状に鑑み、タバコの持ち手、あるいは遊技中のタバコを維持する場所によって発生する、タバコの灰や吸殻による各種の弊害を防止することができるとともに、遊技者のニーズに応じて自由に灰皿の位置を変更することができる、操作が容易な遊技機における灰皿装置を提供せんとするものである。
【課題を解決するための手段】
【０００８】
前記の目的を達成するため、この発明の請求項１に記載の発明は、
遊技機本体から払出される遊技媒体を貯留するコイントレイと、
このコイントレイを左右方向にスライド自在に保持する支持部材とからなるもので、
前記コイントレイのスライドに応じて、コイントレイの左端部及び／又は右端部の外側に、前記遊技機本体、支持部材およびコイントレイの壁面によって、タバコの吸殻ないし灰を収容する灰皿部が形成されること
を特徴とする遊技機の灰皿装置である。
【０００９】
また、この発明の請求項２に記載の発明は、
請求項１に記載の遊技機の灰皿装置において、
前記コイントレイは、
その背面部には、前記遊技機本体の前面下部に形成されたスリットと、前面部には、前記支持部材に形成されたスリットと、それぞれ係合可能な突条部が形成されていること
を特徴とするものである。
【００１０】
また、この発明の請求項３に記載の発明は、
請求項１又は２に記載の遊技機の灰皿装置において、
前記コイントレイは、
その背面部に、上縁部が前記遊技機本体に形成された遊技媒体の払出し口の下縁部とほぼ同一高さとなる切欠き部が形成されていること
を特徴とするものである。
【００１１】
また、この発明の請求項４に記載の発明は、
請求項１に記載の遊技機の灰皿装置において、
前記支持部材は、
前記コイントレイの底面部と当接し、かつ少なくともコイントレイの左右いずれかの側面部との間に灰皿部を形成することが可能な長さの底面部と、この底面部の左右端部および前面部を囲う壁面とで構成され、前面の壁面内側には、コイントレイの前面部に設けられた突条部と係合するスリットが形成されていること
を特徴とするものである。
【００１２】
また、この発明の請求項５に記載の発明は、
請求項４に記載の遊技機の灰皿装置において、
前記支持部材は、
前記灰皿部を形成する両端部側の底面部が、中央部に位置する底面部よりも低い位置にあって、前記コイントレイの底面部との間に空隙部が形成されるよう構成されていること
を特徴とするものである。
【００１３】
また、この発明の請求項６に記載の発明は、
請求項１に記載の遊技機の灰皿装置において、
前記支持部材は、
前記コイントレイがスライドする底面部の前面に、壁面を一体的に設けた前面部材と、この前面部材の両端部に配設される左右一対の側枠部材とから構成され、各側枠部材は、底面部と前面部および前記コイントレイの左右いずれかの側面部と、所要間隔を存して相対する側面部とから構成されること
を特徴とするものである。
【００１４】
また、この発明の請求項７に記載の発明は、
請求項６に記載の遊技機の灰皿装置において、
前記支持部材は、
左右の側枠部材が、前記前面部材に対して回動可能に装着されていること
を特徴とするものである。
【００１５】
また、この発明の請求項８に記載の発明は、
請求項１に記載の遊技機の灰皿装置において、
前記支持部材は、
所要の間隔を存して配置される左右一対の側枠部材と、この側枠部材間にスライド自在に係合保持されるコイントレイとからなるもので、前記各側枠部材は、底面部と前面部および前記コイントレイの左右いずれかの側面部と所要間隔を存して相対する側面部とから構成されること
を特徴とするものである。
【００１６】
また、この発明の請求項９に記載の発明は、
請求項１〜７のいずれかに記載の遊技機の灰皿装置において、
前記支持部材は、
支持部材を形成する部材の全部または一部が、前記遊技機本体の前面下部に設けられたブラケットによって支持されていること
を特徴とするものである。
【発明の効果】
【００１７】
この発明の遊技機の灰皿装置は、遊技機本体から払出される遊技媒体を貯留するコイントレイと、このコイントレイを左右方向にスライド自在に保持する支持部材とで構成したもので、前記コイントレイの左右へのスライドに応じて、コイントレイの左端部及び／又は右端部の外側に、前記遊技機本体、支持部材およびコイントレイの壁面によって、タバコの吸殻ないし灰を収容する灰皿部が形成されるよう構成されているので、コイントレイを左右いずれかにスライドさせることによって、希望するサイドに灰皿部を出現させることができる。
【００１８】
特に、この発明においては、遊技機本体の下部前面に支持される支持部材に対し、コイントレイを左右方向にスライド自在に保持することで、左利き又は右利き、あるいは遊技中におけるタバコの持ち手の如何を問うことなく、状況に応じて所望サイドに灰皿部を簡単かつ容易に顕出させることができるとともに、遊技媒体の移し変えに際し、コイントレイをスライドさせることによって、当該移し変え作業を遊技者にとって最良の場所で行なうことができるものである。
【００１９】
また、灰皿装置を構成するコイントレイは、背面部には遊技機本体に形成されたスリットと、前面部には支持部材に形成されたスリットと、それぞれ係合する突条部が形成されているので、遊技機本体に平行して容易に左右方向にスライドさせることができ、遊技機本体から払出される遊技媒体を確実にコイントレイ内に保留することができる。
【００２０】
また、コイントレイは、遊技機本体と接する背面部に、上縁部が遊技機本体に形成された遊技媒体の払出し口の下縁部と、ほぼ同一高さの切欠き部を形成することによって、遊技機本体の払出し口から払出される遊技媒体の邪魔にならないコイントレイとすることができる。
【００２１】
また、この発明においては、前記の作用効果を有する灰皿装置を構成するに際し、コイントレイを左右方向にスライド自在に支持部材を、コイントレイの底面部と当接し、少なくとも当該コイントレイの左右いずれかの側面部との間に、灰皿部を形成することが可能な長さの底面部と、この底面部の左右端部および前面部を囲う壁面とで構成することによって、当該支持部材の背面部として、遊技機本体の下部前面部を利用することができ、支持部材の構成を簡略化することができる。
【００２２】
その際、前記灰皿部を形成する両端部側の底面部が、中央部に位置する底面部よりも低い位置にあって、前記コイントレイの底面部との間に空隙部を形成するよう構成することによって、灰皿部に落とされた灰や吸殻が、スライド移動するコイントレイの底面部よりも下方で収容されるので、貯留された灰や吸殻に影響されることなく、コイントレイのスライド移動を円滑に行なうことができる。
【００２３】
また、前記支持部材を構成するに際し、コイントレイがスライドする底面部の前縁に沿って壁面を一体的に設けた前面部材と、この前面部材の両端部に配設される左右一対の側枠部材とで構成し、この左右の側枠部材を、前記前面部材に対して回動可能に装着することによって、灰皿部に貯まった灰や吸殻の回収にあたり、側枠部材を前または後方向に回転させることによって、吸殻などを容易に回収することが可能となる。
【００２４】
また、前記支持部材を、所要の間隔を存して配置される左右一対の側枠部材と、この側枠部材間にスライド自在に係合保持されるコイントレイとで構成すれば、支持部材の構造を簡略化させることができるとともに、遊技機本体への灰皿装置の取付け作業を容易にすることができる。
【発明を実施するための最良の形態】
【００２５】
以下、この発明にかかる遊技機における灰皿装置の実施の形態について、具体的に説明するが、この発明は、開示された実施例にのみ限定されるものではなく、遊技媒体を貯留するコイントレイと、このコイントレイを左右方向にスライド自在に保持する支持部材とで構成され、コイントレイのスライドに応じて、その左端部及び／又は右端部の外側に、前記遊技機本体、支持部材およびコイントレイの壁面によって、タバコの吸殻ないし灰を収容する灰皿部が形成されるものであれば、その要旨を変更しない範囲で種々の変更を加えることができるものである。
【００２６】
図１は、この発明にかかる灰皿装置を具備した遊技機の一例を示す斜視図、図２は灰皿装置を取外した状態の斜視図、図３はこの発明にかかる灰皿装置の一例を示す斜視図、図４は同一部切欠き平面図、図５は同正面図、図６は同要部の断面図、図７は灰皿装置の他の例を示す一部切欠き斜視図、図８は灰皿装置のさらに他の例を示す一部切欠き斜視図、図９は灰皿Ａの他の回転態様を示す要部の拡大図である。
【００２７】
図１において、１は下部前面にコインの遊技媒体の払出し口２を有する、いわゆるスロットマシンと称される遊技機本体であって、前記払出し口２の下方に、この発明にかかる灰皿装置３が着脱自在に装着されている。この灰皿装置３は、前記遊技媒体を貯留するコイントレイ４と、このコイントレイ４を、左右方向にスライド自在に保持する支持部材１０とで構成されたものである。
【００２８】
前記コイントレイ４は、図２で明らかなように、背面部に長手方向に沿って突出形成された突条部５を、遊技機本体１の下部前面部に形成されたスリット９に係合させ、前面部に長手方向に沿って突出形成された突条部６を、前記支持部材１０の前面部内面に形成されたスリット（図示せず）に係合させることによって、遊技機本体１および支持部材１０に係合保持され、前記支持部材１０は、遊技機本体１の下部前面部に設けられたブラケット８によって、遊技機本体１に係合保持される。
【００２９】
図２に示す灰皿装置３を、図３に基づいてより具体的に説明すると、灰皿装置３は、上部が開口した所要の大きさを有する矩形状のコイントレイ４と、このコイントレイ４を左右方向にスライド自在に支持する支持部材１０とから構成されるもので、前記コイントレイ４には、前記のように前面部および背面部に、それぞれ長さ方向に沿って突条部５，６が一体的に形成されている。
【００３０】
一方の支持部材１０は、図４に示すように、前記コイントレイ４がスライドする底面部１１ａの前縁に沿って、壁面１１ｂを一体的に設けた前面部材１１と、この前面部材１１の左右の端部に配設される一対の側枠部材１２，１３の３つの部材からなるもので、前記前面部材１１の壁面１１の内面には、図６で明らかなように、前記コイントレイ４の前面部に突出形成された突条部６と係合するスリット１１ｃが形成されている。
【００３１】
各側枠部材１２，１３は、図４で明らかなように、底面部１２ａ，１３ａと、前面部１２ｂ，１３ｂおよび前記コイントレイ４の側面部４ａ，４ｂと所要間隔を存して相対する側面部１２ｃ，１３ｃとから構成され、前面部材１１および各側枠部材１２，１３は、いずれも背面部を有せず、この灰皿装置３を遊技機本体１の下部前面に装着した際、遊技機本体１の下部前面の壁面が、各部材における背面部を形成するよう構成されている。
【００３２】
かかる構成の灰皿装置３は、前面部材１１のスリット１１ｃにコイントレイ４の突条部６を係合させ、左右の側枠部材１２，１３と前面部材１１とで構成される支持部材１０に対して左右方向にスライド自在に係合保持させたのち、図２に示される遊技機本体１のスリット９内に、コイントレイ４の突条部５を係合させて、灰皿装置３を遊技機本体１に装着するものである。
【００３３】
その際、前記支持部材１０の前面部材１１は、前記ブラケット８によって遊技機本体１の前面に保持されるので、支持部材１０内に保持されたコイントレイ４を、いずれか一方端側、たとえば、図３の右側にスライドさせれば、他方端側、すなわち、左側の側枠部材１２の側面部１２ｃと、コイントレイ４の側面部４ａとの間に凹状の空隙部が形成されるので、この空隙部を灰皿Ａとして使用するものである。同様に、左側にコイントレイ４を移動させれば、側枠部材１３の側面部１３ｃとコイントレイ４の側面部４ｂとの間に凹状の灰皿Ａを形成することができる。なお、図中、１６はタバコを灰皿Ａ上に係止するために形成された円弧状の切欠き部である。
【００３４】
なお、コイントレイ４を支持部材１０の中央部に位置させれば、幅は狭いが、左右両端部に灰皿Ａを形成させることもできる。また、灰皿Ａに貯まったタバコの灰や吸殻は、掃除機などで吸引することによって灰皿Ａから除去することができるが、各側枠部材１２，１３を、前面部材１１に対して回動可能に装着することによって、灰皿Ａ内の吸殻などを簡単に除去することもできる。
【００３５】
すなわち、各側枠部材１２，１３の外側に、図３に示すように保持板１４，１４をそれぞれ配置し、たとえば、前面部材１１の壁面１１ｂの左右上部における端面、および前記端面と相対する保持板１４にそれぞれピン１５，１５を突出形成し、これらピン１５と相対する側枠部材１２，１３の所要部位に係合孔を設け、各ピン１５を側枠部材１２，１３の係合孔に係合保持させることによって、コイントレイ４に対し、側枠部材１２，１３を回動自在に保持することができる。
【００３６】
この場合、前面側に設けたピン１５，１５を支点として、側枠部材１２，１３の背面部を下方に回動させる場合には、各側枠部材１２，１３の側面部１２ｃ，１３ｃの背面側上縁が、遊技機本体１の下部前面と接触しないように、当該部位を弧状に形成することが必要となる。なお、図示しないが、各側枠部材１２，１３の底面および支持部材１０の各側枠部材１２，１３側に位置する底面に、それぞれ３６０度回転可能な保持部材が、灰皿Ａの底面部を支えるように取付けられている。
【００３７】
図９は、前記ピン１５，１５を支点として、側枠部材１２，１３の背面部を上方に持ち上げて前方側に回動させる場合を示したもので、この場合には、側枠部材１２の底面部１２ｃが上方に持ち上げられたとき、底面部１２ｃが遊技機本体１の下部前面と接触しないように背面側（遊技機本体１側）を、上方に向けて円弧状に形成するとともに、この側枠部材１２の底面部１２ｃと当接するコインケース４の底面部も、同様に円弧状に形成するものである。
【００３８】
なお、前記の構成において、上方に向けて円弧状に形成された底面部１２ｃの上部は、
コインケース４の背面部より灰皿Ａの背面が突出しないように、その上部の一部を切り欠いている。また、反対側の側枠部材１３も同様に形成されている。さらに、これら側枠部材１２，１３は、図示しないが、保持板１４の底面およびブラケット８または前面部材１１の底面部に設けられた保持部材によってそれぞれその底面部１２ｃ，１３ｃが保持されている。
【００３９】
図７は、この発明にかかる他の灰皿装置２０を示し、上部が開口した矩形状のコイントレイ２１と、このコイントレイ２１の両端部を支持する左右一対の側枠部材２５，２６とからなる支持部材２７で構成したもので、コイントレイ２１の背面部および前面部には、それぞれ長手方向に沿って突条部２２，２３が一体的に突出形成され、背面部には、前記実施例におけるコイントレイ４と同様に切欠き部２４が形成されたものである。
【００４０】
前記支持部材２７を構成する左右一対の側枠部材２５，２６は、コイントレイ２１の一方の底面部側を支持する底面部２５ａ，２６ａと、この底面部２５ａ，２６ａの前縁に設けられる前面部２５ｂ，２６ｂと、外側縁にコイントレイ２１の側面部２１ａまたは２１ｂと相対させて形成される側面部２５ｃ，２６ｃとからなるもので、前記前面部２５ｂ，２６ｂの内面には、コイントレイ２１の前面部に形成した突条部２３と係合するスリットがそれぞれ形成されている。
【００４１】
かかる構成の灰皿装置２０は、図示しないが、たとえば、コイントレイ２１の背面部の突条部２２を、遊技機本体１の下方の前面部に形成されてスリット９に係合させるとともに、前面部の突条部２３を各側枠部材２５，２６のスリットに係合させ、しかるのち、ブラケットを使用して各側枠部材２５，２６を、遊技機本体１の下方の前面部に所要の間隔を存して配置固定することによって、前記コイントレイ２１を、所要間隔を存して対向して配置された側枠部材２５と２６との間に、スライド自在に保持したものである。
【００４２】
したがって、図示のように、コイントレイ２１を、その右側の側面部２１ｂが右側の側枠部材２６の側面部２６ｃに当接するようスライド移動させると、左側の側枠部材２５の側面部２５ｃと、コイントレイ２１の左側の側面部２１ａとの間に所要の大きさの空隙部が形成されるので、この空隙部を灰皿Ａとすることができる。
【００４３】
図８に示す灰皿装置３０は、上部が開口した矩形状のコイントレイ３１と、このコイントレイ３１を支持する支持部材３５とで構成したもので、コイントレイ３１の背面部および前面部には、それぞれ長手方向に沿って突条部３２，３３が一体的に突出形成され、背面部には、前記実施例におけるコイントレイ４と同様に切欠き部３４が形成されたものである。
【００４４】
前記支持部材３５は、コイントレイ３１の底面部と当接する底面部３５ａと、左右の側面部３５ｂ，３５ｃと、前縁に沿って設けられる前面部３５ｄとで構成されるもので、前面部３５ｄの内面には、コイントレイ３１の前面部に形成された突条部３３と係合するスリットが形成されたものである。
【００４５】
かかる構成の灰皿装置３０は、コイントレイ３１の突条部３３を、支持部材３５の前面部内壁に形成したスリットに係合させた状態で、背面部の突条部３２を遊技機本体１に形成されたスリット９と係合させ、この状態を保持しながら支持部材３５を、前記ブラケット８などを使用して遊技機本体１の下部前面に支持するもので、図示のように、コイントレイ３１を右側にスライド移動させると、左側の側面部３５ｂと、コイントレイ３１の左側の側面部３１ｄとの間に所要の大きさの空隙部が形成されるので、この空隙部を灰皿Ａとするものである。
【００４６】
その際、支持部材３５の底面部３５ａが面一の場合には、コイントレイ３１を左右方向にスライド移動させた際、灰皿Ａ上に貯まったタバコの灰や吸殻によって円滑なスライド移動が妨げられるので、図８に示すように、支持部材３５を構成する底面部３５ａの左右の端部３５ｅ，３５ｆを、それぞれ段部を介して下方に下げて、コイントレイ３１の底面部３１ｃとの間に所要高さの空隙部を形成させ、当該空隙部を灰皿Ａとすることが好ましい。
【００４７】
この発明の遊技機の灰皿装置は、実施例として挙げたスロットマシン以外に、パチンコ機にも具備させることができるもので、コイントレイと、このコイントレイを左右方向にスライド自在に支持する支持部材で構成するに際し、いずれの実施例においても、支持部材は背面部を具備せず、灰皿部の背面を遊技機本体の下部前面の壁面で構成することで、灰皿装置の軽量化、簡素化を図ったもので、灰皿部の大きさを設定することによって、コイントレイや支持部材の幅や奥行きを自在に設定することが可能なものである。
【００４８】
また、この発明の灰皿装置は、コイントレイを左右いずれかにスライドさせることで、コイントレイの側端部の外側に灰皿部を形成しているが、このスペースを拡大することによって、あるいは灰皿部のスペースをあらかじめ大きく設定することによって、タバコを吸わない遊技者は、当該スペースを缶ジュースなど飲料や、その他の物品の収納部としても使用することができるものである。
【図面の簡単な説明】
【００４９】
【図１】この発明に係る灰皿装置を具備した遊技機の一例を示す斜視図である。
【図２】灰皿装置を取外した状態の斜視図である。
【図３】この発明にかかる灰皿装置の一例を示す斜視図である。
【図４】同一部切欠き平面図である。
【図５】同正面図である。
【図６】同要部の断面図である。
【図７】灰皿装置の他の例を示す一部切欠き斜視図である。
【図８】灰皿装置のさらに他の例を示す一部切欠き斜視図である。
【図９】灰皿Ａの他の回転態様を示す要部の拡大図である。
【符号の説明】
【００５０】
１        遊技機本体
２        払出し口
３        灰皿装置
４        コイントレイ
５，６    突条部
８        切欠き部
９        スリット
１０        支持部材
１１        前面部材
１２，１３  側枠部材
１４        補助板
【図９】
2005312785.tif 000003
【図１】
2005312785.tif 000004
【図２】
2005312785.tif 000005
【図３】
2005312785.tif 000006
【図４】
2005312785.tif 000007
【図５】
2005312785.tif 000008
【図６】
2005312785.tif 000009
【図７】
2005312785.tif 000010
【図８】
2005312785.tif 000011